(57)【要約】【課題】カラオケ演奏時に行った利用者の歌唱を採点する際に、より正確な採点結果を得ること。【解決手段】当該カラオケ装置４における現在のスピードコントール値の設定値を取得し、Ｓ１１０にて受信した過去の分析採点結果およびスピードコントロール値を参照して、その過去のスピードコントロール値と、当該カラオケ装置４における現在のスピードコントロール値とから、両者が同一の演奏速度となるよう過去の分析採点結果に対して正規化を行い（Ｓ１１２）、その正規化された過去の分析採点結果をモニタ３６に表示させる（Ｓ１１４）。カラオケ演奏に合わせてマイクロフォン２６から入力されるカラオケ歌唱の音声信号を区間ごとに採点し、その区間ごとの採点結果をモニタ３６に表示させる（Ｓ１１８）。【選択図】図４
2008216337.tif 000002
【特許請求の範囲】
【請求項１】
楽曲データに基づいてカラオケ演奏を行う複数のカラオケ装置とサーバとを備え、前記複数のカラオケ装置と前記サーバとの間でデータ通信可能に構成されているカラオケシステムであって、
前記サーバは、利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに採点履歴情報として記憶する採点履歴情報記憶手段を備え、
前記複数のカラオケ装置は、それぞれ、
利用者によるカラオケ演奏曲の予約を受け付ける予約受付手段と、
一つ以上のカラオケ演奏曲を記憶する演奏曲記憶手段と、
前記予約受付手段が受け付けた利用者によるカラオケ演奏曲の予約に基づき、前記演奏曲記憶手段からカラオケ演奏曲を読み出してカラオケ演奏するカラオケ演奏手段と、
前記カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報を前記サーバの前記採点履歴情報記憶手段から取得する採点履歴情報取得手段と、
カラオケ歌唱の音声信号を入力するための音声信号入力手段と、
前記カラオケ演奏手段によってカラオケ演奏が行われた際に前記音声信号入力手段から入力されたカラオケ歌唱を採点する採点手段と、
前記採点結果による採点結果および前記採点履歴情報取得手段が取得した採点履歴情報に含まれる過去の採点結果を表示可能な表示手段と、
前記カラオケ演奏手段が前記カラオケ演奏曲をカラオケ演奏する際の演奏速度および前記採点履歴情報取得手段が取得した採点履歴情報に含まれる演奏速度を示す情報を参照して、前記採点手段による採点結果および前記採点履歴情報取得手段が取得した採点履歴情報に含まれる過去の採点結果を、同一の演奏速度となるように調整して前記表示手段に表示させる表示制御手段と、を備えること
を特徴とするカラオケシステム。
【請求項２】
請求項１に記載のカラオケシステムにおいて、
前記カラオケ装置の前記採点履歴情報取得手段は、前記カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報を、前記カラオケ演奏手段がカラオケ演奏を行う直前に、前記サーバの前記採点履歴情報記憶手段から取得すること
を特徴とするカラオケシステム。
【請求項３】
請求項１または請求項２に記載のカラオケシステムにおいて、
前記表示制御手段は、前記採点手段による採点結果および前記採点履歴情報取得手段が取得した採点履歴情報に含まれる過去の採点結果を、前記カラオケ演奏手段による演奏区間ごとに、同一の演奏速度となるように調整して前記表示手段に表示させること
を特徴とするカラオケシステム。
【請求項４】
請求項１〜請求項３の何れかに記載のカラオケシステムにおいて、
前記複数のカラオケ装置は、それぞれ、
利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに採点履歴情報として前記サーバに送信する送信手段を備え、
前記サーバは、
前記複数のカラオケ装置の何れかから送信された採点履歴情報を、前記利用者を特定可能に前記採点履歴情報記憶手段に記憶させる記憶制御手段と、
前記採点履歴情報記憶手段が記憶する前記利用者の採点履歴情報と前記送信手段によって送信された前記利用者の採点履歴情報とから演奏曲毎にそれぞれの採点結果を比較し、その採点結果が高い方を選択する採点比較手段と、を備え、
前記記憶制御手段は、前記採点比較手段によって選択された採点履歴情報を、前記利用者が次回にログインを行ったカラオケ装置へダウンロードさせる採点履歴情報として前記採点履歴情報記憶手段に記憶させること
を特徴とするカラオケシステム。
【請求項５】
請求項１〜請求項３の何れかに記載のカラオケシステムにおいて、
前記採点履歴情報には、カラオケ演奏された時刻を示す時刻情報が含まれており、
前記複数のカラオケ装置は、それぞれ、
利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに採点履歴情報として前記サーバに送信する送信手段を備え、
前記サーバは、
前記複数のカラオケ装置の何れかから送信された採点履歴情報を、前記利用者を特定可能に前記採点履歴情報記憶手段に記憶させる記憶制御手段と、
前記採点履歴情報記憶手段が記憶する前記利用者の採点履歴情報と前記送信手段によって送信された前記利用者の採点履歴情報とから演奏曲毎にそれぞれの採点結果を比較し、その採点結果が高い方を選択するとともに、各採点履歴情報に含まれる時刻情報を参照して、採点結果の値の増減を特定する採点比較手段と、を備え、
前記記憶制御手段は、前記採点比較手段によって選択された採点履歴情報を、その採点結果の値の増減を示す情報を付与して、前記利用者が次回にログインを行ったカラオケ装置へダウンロードさせる採点履歴情報として前記採点履歴情報記憶手段に記憶させること
を特徴とするカラオケシステム。
【請求項６】
請求項１〜請求項５の何れかに記載のカラオケシステムにおいて、
前記複数のカラオケ装置は、それぞれ、
利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに、前記利用者の採点履歴情報として、前記利用者を特定可能に記憶する装置側記憶手段と、
前記採点履歴情報記憶手段が記憶する前記利用者の採点履歴情報と今回の前記利用者の採点履歴情報とから演奏曲毎にそれぞれの採点結果を比較し、その採点結果が高い方を選択する採点比較手段と、を備え、
前記装置側記憶手段は、前記採点比較手段によって選択された採点履歴情報を、前記利用者の採点履歴情報として記憶すること
を特徴とするカラオケシステム。
【請求項７】
請求項１〜請求項５の何れかに記載のカラオケシステムにおいて、
前記採点履歴情報には、カラオケ演奏された時刻を示す時刻情報が含まれており、
前記複数のカラオケ装置は、それぞれ、
利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに、前記利用者の採点履歴情報として、前記利用者を特定可能に記憶する装置側記憶手段と、
前記採点履歴情報記憶手段が記憶する前記利用者の採点履歴情報と今回の利用者の採点履歴情報とから演奏曲毎にそれぞれの採点結果を比較し、その採点結果が高い方を選択するとともに、各採点履歴情報に含まれる時刻情報を参照して、採点結果の値の増減を特定する採点比較手段と、を備え、
前記装置側記憶手段は、前記採点比較手段によって選択された採点履歴情報を、その採点結果の値の増減を示す情報を付与して、前記利用者の採点履歴情報として記憶すること
を特徴とするカラオケシステム。
【請求項８】
請求項６または請求項７に記載のカラオケシステムにおいて、
前記カラオケ装置の前記採点履歴情報取得手段は、前記カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報が前記装置側記憶手段に記憶されているか否かを判断し、前記採点履歴情報が前記装置側記憶手段に記憶されていると判断した場合には前記採点履歴情報を前記装置側記憶手段から取得し、一方、前記採点履歴情報が前記装置側記憶手段には記憶されていないと判断した場合には前記採点履歴情報を前記サーバの前記採点履歴情報記憶手段から取得すること
を特徴とするカラオケシステム。
【発明の詳細な説明】
【技術分野】
【０００１】
本発明は、カラオケ演奏時に行った利用者の歌唱を採点する際に、より正確な採点結果を得る技術に関する。
【背景技術】
【０００２】
従来より、カラオケ装置の付帯機能として採点機能が良く知られている。この採点機能は、マイクロフォンから入力された歌唱者の音声信号をサンプリングすることで歌唱者が発声した音高や声量あるいはテンポなどの歌唱状態を示す歌唱データを生成する。この歌唱データとカラオケデータ中の主旋律データなどの採点基準データとを比較し、その比較結果に基づいて所定の得点を付与して採点データを生成する。そして、歌唱パートが終了するとこの採点データ中の得点を集計して総合得点を算出する。総合得点はそのままの得点をスコアボードやディスプレイに表示したり、所定のメッセージや所定の表現内容を含む映像など総合得点を反映した映像をディスプレイに出力したりする。
【０００３】
また、同様に、利用者による音声を採点する装置としては、２つの音素列を時間軸上で正規化して表示する音声認識装置が知られている（例えば、特許文献１参照。）。このような音声認識装置は、不特定話者の音声を入力する入力手段５０と、その音声信号から音声認識を行い、言語シンボルを得る認識手段５１と、前記音声信号の所定の音響的特徴量とそれに対応する前記言語シンボルとの対応付け内容を、少なくとも２種類の音声について、正規化して対応させ表示する表示手段５４とを備えている。なお、この音声認識装置では、２つの音声データのうちの一方については、入力手段から入力された音声データであり、他方の音声データについては、予め記憶されているお手本の音声データであり、両者を比較して処理した後に正規化して表示するようになっている。
【特許文献１】特開平０５−１６５４９４号公報
【発明の開示】
【発明が解決しようとする課題】
【０００４】
しかし、上述のようなカラオケ装置においては、歌唱者の過去の採点値と今回の採点値とを比較し、採点分析処理を行ってその分析結果を表示する場合に、過去のカラオケ演奏スピードと今回のカラオケ演奏スピードが異なると、両者では分析する時間が異なることとなるために分析処理に誤差が生じるという問題があった。
【０００５】
また、特許文献１に記載の音声認識装置においても同様に、入力手段から入力された音声データと予め記憶されているお手本の音声データとを比較し、採点分析処理を行ってその分析結果を表示する場合に、両者の再生スピードが異なると、両者では分析する時間が異なることとなるために分析処理に誤差が生じるという問題があった。
【０００６】
本発明は、このような不具合に鑑みなされたものであり、その目的とするところは、カラオケ演奏時に行った利用者の歌唱を採点する際に、より正確な採点結果を得ることにある。
【課題を解決するための手段】
【０００７】
上記課題を解決するためになされた請求項１に係るカラオケシステムは、サーバから取得した利用者または他の利用者の過去の採点結果と今回の採点結果とを同一の演奏速度となるように調整して表示することを特徴とする。
【０００８】
具体的には、上述のカラオケシステムは、楽曲データに基づいてカラオケ演奏を行う複
数のカラオケ装置とサーバとを備え、前記複数のカラオケ装置と前記サーバとの間でデータ通信可能に構成されている。
【０００９】
このうちサーバは、利用者によるカラオケ演奏曲の予約に応じてカラオケ演奏した際に利用者の歌唱を採点した「採点結果」を、その利用者を特定する情報、カラオケ演奏されたカラオケ演奏曲を特定する情報、およびそのカラオケ演奏時における演奏速度を示す情報とともに「採点履歴情報」として記憶する採点履歴情報記憶手段を備えている。
【００１０】
一方、複数のカラオケ装置は、それぞれ、利用者によるカラオケ演奏曲の予約を受け付ける予約受付手段と、一つ以上のカラオケ演奏曲を記憶する演奏曲記憶手段と、カラオケ演奏手段と、採点履歴情報取得手段と、カラオケ歌唱の音声信号を入力するための音声信号入力手段と、カラオケ演奏手段によってカラオケ演奏が行われた際に音声信号入力手段から入力されたカラオケ歌唱を採点する採点手段と、表示手段と、表示制御手段と、を備えている。まず、カラオケ演奏手段は、予約受付手段が受け付けた利用者によるカラオケ演奏曲の予約に基づき、演奏曲記憶手段からカラオケ演奏曲を読み出してカラオケ演奏する。この際、採点履歴情報取得手段が、カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報をサーバの採点履歴情報記憶手段から取得する。そして、表示制御手段が、カラオケ演奏手段がカラオケ演奏曲をカラオケ演奏する際の演奏速度および採点履歴情報取得手段が取得した採点履歴情報に含まれる演奏速度を示す情報を参照して、採点手段による採点結果および採点履歴情報取得手段が取得した採点履歴情報に含まれる過去の採点結果を、同一の演奏速度となるように調整して表示手段に表示させる。
【００１１】
このように構成された本発明のカラオケシステムによれば、表示制御手段が、カラオケ演奏手段がカラオケ演奏曲をカラオケ演奏する際の演奏速度および採点履歴情報取得手段が取得した採点履歴情報に含まれる演奏速度を示す情報を参照して、採点手段による採点結果および採点履歴情報取得手段が取得した採点履歴情報に含まれる過去の採点結果を、同一の演奏速度となるように調整して表示手段に表示させる。このことにより、過去の歌唱時と今回の歌唱時とで演奏速度が異なっていても、過去の歌唱時の採点結果と今回の歌唱時の採点結果とをより正確に比較をすることができる。また、歌唱者本人のみではなくそのとき一緒に歌いに来た仲間（他の利用者）と歌唱時の採点結果の比較が可能となる。したがって、カラオケ演奏時に行った利用者の歌唱を採点する際に、より正確な採点結果を得ることができる。
【００１２】
なお、上述のように採点履歴情報をサーバから取得する時期については、（イ）利用者によるカラオケ演奏の予約時や、（ロ）予約曲のカラオケ演奏開始時などが考えられる。
このうちの（ロ）予約曲のカラオケ演奏開始時については、請求項２のように、カラオケ装置の採点履歴情報取得手段が、カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報を、カラオケ演奏手段がカラオケ演奏を行う直前に、サーバの採点履歴情報記憶手段から取得することが考えられる。
【００１３】
このように構成すれば、上述の（イ）のように採点履歴情報を予約時など事前に取得しておくと、予約のキャンセルがあった場合にその取得に費やしたリソースが無駄になるが、本発明のように、採点履歴情報を予約曲のカラオケ演奏開始時にサーバから取得することにより、上述のようなリソースの無駄が発生することを防ぐことができる。
【００１４】
ところで、上述のような比較結果の表示については、（ハ）カラオケ演奏終了時に、過去の採点結果と今回の採点結果との比較を表示することや、（ニ）カラオケ演奏中に区間ごとの前記比較の結果を順次表示していくことなどが考えられる。
【００１５】
このうちの（ニ）カラオケ演奏中に区間ごとの比較結果を順次表示していくことについては、請求項３のように、表示制御手段が、採点手段による採点結果および採点履歴情報取得手段が取得した採点履歴情報に含まれる過去の採点結果を、カラオケ演奏手段による演奏区間ごとに、同一の演奏速度となるように調整して表示手段に表示させることが考えられる。このように構成すれば、上述の（ハ）のようにカラオケ演奏終了後にのみ比較結果を表示する場合に比べて、カラオケ演奏中に利用者や他の利用者の興味をカラオケ演奏および歌唱に引き付けることができる。また、利用者が区間ごとの採点結果を見ながら歌唱方法の参考にすることができる。
【００１６】
ところで、上述の採点結果については、（ホ−１）サーバに保存しておくことが考えられる。具体的には、請求項４のように、複数のカラオケ装置が、それぞれ、利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに採点履歴情報としてサーバに送信する送信手段を備え、一方、サーバは、複数のカラオケ装置の何れかから送信された採点履歴情報を、利用者を特定可能に採点履歴情報記憶手段に記憶させる記憶制御手段と、採点履歴情報記憶手段が記憶する利用者の採点履歴情報と送信手段によって送信された利用者の採点履歴情報とから演奏曲毎にそれぞれの採点結果を比較し、その採点結果が高い方を選択する採点比較手段と、を備え、記憶制御手段が、採点比較手段によって選択された採点履歴情報を、利用者が次回にログインを行ったカラオケ装置へダウンロードさせる採点履歴情報として採点履歴情報記憶手段に記憶させることが考えられる。
【００１７】
このように構成すれば、異なるカラオケ装置で同一のカラオケ演奏曲に対して歌唱する場合でも、過去の採点結果である採点履歴情報を取得して、上述のような比較を行うことができる。
【００１８】
また、上述の採点結果については、（ホ−２）採点結果の値の増減とともにサーバに保存しておくことが考えられる。具体的には、請求項５のように、採点履歴情報には、カラオケ演奏された時刻を示す時刻情報が含まれており、複数のカラオケ装置が、それぞれ、利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに採点履歴情報としてサーバに送信する送信手段を備え、一方、サーバは、複数のカラオケ装置の何れかから送信された採点履歴情報を、利用者を特定可能に採点履歴情報記憶手段に記憶させる記憶制御手段と、採点履歴情報記憶手段が記憶する利用者の採点履歴情報と送信手段によって送信された利用者の採点履歴情報とから演奏曲毎にそれぞれの採点結果を比較し、その採点結果が高い方を選択するとともに、各採点履歴情報に含まれる時刻情報を参照して、採点結果の値の増減を特定する採点比較手段と、を備え、記憶制御手段が、採点比較手段によって選択された採点履歴情報を、その採点結果の値の増減を示す情報を付与して、利用者が次回にログインを行ったカラオケ装置へダウンロードさせる採点履歴情報として採点履歴情報記憶手段に記憶させることが考えられる。
【００１９】
このように構成すれば、歌唱の上達度合いを計るために、分析採点結果に時間要素を加えて新旧時間で採点結果を比較することにより、以前より演奏曲に対する歌唱能力が向上しているのか、下降しているのかが、利用者自身で特定できる。
【００２０】
また、上述の採点結果については、（ヘ−１）カラオケ装置内に一時的に保存しておくことが考えられる。具体的には、請求項６のように、複数のカラオケ装置が、それぞれ、利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに、利用者の採点履歴情報として、利用者を特定可能に記憶する装置側記憶手段と、採点履歴情報記憶手段が記憶する利用者の採点履歴情報と今回の利用者の採点履歴情報とから演奏曲毎にそれぞれの採点結果を比較し、その採点結果が高い方を選択する採点比較手段と、を備え、装置側記憶手段が、採点比較手段によって選択された採点履歴情報を、利用者の採点履歴情報として記憶することが考えられる。
【００２１】
このように構成すれば、次のような作用効果を奏する。すなわち、例えば、採点結果およびスピードコントロール値などの演奏速度を示す情報をサーバへ送信するとともに、採点を行ったカラオケ装置内のＨＤＤやメモリなどにも保存しておき、歌唱者本人の採点履歴情報についてはサーバから取得し、他の利用者の採点履歴情報については、カラオケ装置内のＨＤＤやメモリなどから取得する。この際、他の利用者のユーザＩＤに関してはカラオケ装置内のＨＤＤやメモリから検索したり読み出して一覧表示したりする。このことにより、他のログインしている利用者についてはサーバに対してユーザ情報に関する問い合わせや採点履歴情報の取得処理を行わないため、サーバへのアクセス時間を短縮することができる。
【００２２】
また、上述の採点結果については、（ヘ−２）採点結果の値の増減とともにカラオケ装置内に一時的に保存しておくことが考えられる。具体的には、請求項７のように、採点履歴情報には、カラオケ演奏された時刻を示す時刻情報が含まれており、複数のカラオケ装置は、それぞれ、利用者によるカラオケ演奏曲の予約に応じてカラオケ演奏した際に利用者の歌唱を採点した採点結果を、その利用者を特定する情報、カラオケ演奏されたカラオケ演奏曲を特定する情報、およびそのカラオケ演奏時における演奏速度を示す情報とともに、利用者の採点履歴情報として、利用者を特定可能に記憶する装置側記憶手段と、採点履歴情報記憶手段が記憶する利用者の採点履歴情報と今回の利用者の採点履歴情報とから演奏曲毎にそれぞれの採点結果を比較し、その採点結果が高い方を選択するとともに、各採点履歴情報に含まれる時刻情報を参照して、採点結果の値の増減を特定する採点比較手段と、を備え、装置側記憶手段が、採点比較手段によって選択された採点履歴情報を、その採点結果の値の増減を示す情報を付与して、利用者の採点履歴情報として記憶することが考えられる。
【００２３】
このように構成すれば、歌唱の上達度合いを計るために、分析採点結果に時間要素を加えて新旧時間で採点結果を比較することにより、以前より演奏曲に対する歌唱能力が向上しているのか、下降しているのかが、利用者自身で特定できる。
【００２４】
また、上述のように、（ヘ）採点履歴情報をカラオケ装置内のＨＤＤやメモリなどに保存している場合には、採点履歴情報を取得する必要が生じた際にカラオケ装置内のＨＤＤやメモリなどから採点履歴情報を取得することが考えられる。具体的には、請求項８のように、カラオケ装置の採点履歴情報取得手段が、カラオケ演奏手段が行うカラオケ演奏を予約した利用者またはその利用者とともにログインしている他の利用者が過去に同一のカラオケ演奏曲をカラオケ演奏した際に行った歌唱を採点した採点結果を含む採点履歴情報が装置側記憶手段に記憶されているか否かを判断する。採点履歴情報が装置側記憶手段に記憶されていると判断した場合には、採点履歴情報取得手段が、採点履歴情報を装置側記憶手段から取得する。一方、採点履歴情報が装置側記憶手段には記憶されていないと判断した場合には、採点履歴情報取得手段が、採点履歴情報をサーバの採点履歴情報記憶手段から取得する。
【００２５】
このように構成すれば、所望の採点履歴情報がカラオケ装置内に保存されている場合にはその採点履歴情報をカラオケ装置内から優先的に取得し、一方、所望の採点履歴情報がカラオケ装置内に保存されていない場合にはその採点履歴情報をサーバから取得するので、サーバへのアクセス時間をさらに短縮することができる。
【発明を実施するための最良の形態】
【００２６】
以下、本発明の実施形態を図面に基づいて説明する。
［第一実施形態］
図１は、インターネット２００を利用したカラオケネットワークシステム１の概略構成を示すブロック図である。また、図６（ｂ）はカラオケ用ホストサーバが記憶する採点結果データリストを示す説明図である。
【００２７】
［カラオケネットワークシステム１の構成の説明］
図１に示すように、カラオケネットワークシステム１は、Ｗｅｂサーバ２ａとデータベース２ｂとを備えるカラオケ用ホストサーバ２、及びＷｅｂサーバ３ａを備えるインターネット用ホストサーバ３に対して、カラオケ店等の各カラオケルームに設置されるカラオケ装置４と、カラオケ装置４を操作するためのリモコン端末５と、パーソナルコンピュータ（以下、パソコン）６ａ及び携帯電話６ｂ等の情報端末からなるユーザ端末６とがインターネット２００を介して通信可能に構成されることによって形成されている。
【００２８】
カラオケ用ホストサーバ２は、カラオケ店等に設置されているカラオケ装置４に対して楽曲データやカラオケ装置４からユーザへ提供するためのコンテンツデータ等を配信するためのカラオケサービス用のホストサーバである。カラオケ用ホストサーバ２は、ホストサーバ側のルータ１３０とカラオケ店側のルータ１２０との間でインターネットネットワーク２００上に形成されるＶＰＮ（virtual private network）を介して、カラオケ店側
のＬＡＮ１００に接続されている。つまり、カラオケ用ホストサーバ２と、カラオケ装置４及びリモコン端末５との間の通信は、インターネット２００上のＶＰＮ及びカラオケ店側のＬＡＮ１００を介して行われる。
【００２９】
さらに、本カラオケネットワークシステム１において、カラオケ用ホストサーバ２は、本システムを利用する権限を有するユーザに関する登録情報を蓄積するユーザ登録データベース２ｃや、登録されているユーザのカラオケ歌唱に関する情報及び当該ユーザから提供される情報等をインターネット２００上で公開するための個人用Ｗｅｂページのデータを蓄積する個人用Ｗｅｂページデータベース２ｄ等を有するデータベース２ｂを備えている。そして、カラオケ用ホストサーバ２が備えるＷｅｂサーバ２ａは、このデータベース２ｂと連携しており、カラオケ店側のリモコン端末４等からの要求に応じて、カラオケネットワークシステム１を利用するためにログインしようとするユーザに対する認証や、ログインしたユーザに対する個人用Ｗｅｂページの配信・更新サービスを行う。すなわち、ここでいう連携とは、ユーザ認証及び個人用Ｗｅｂページの配信をＷｅｂサーバ２ａが行うために、データベース２ｄ内に格納されたデータを参照したり、Ｗｅｂサーバ２ａが受け付けた個人用Ｗｅｂページ更新のデータをデータベース２ｂに反映させたりすることで、Ｗｅｂサーバ２ａが行う前記サービスに利用するためのデータと、データベース２ｂとが対応していることを指す。
【００３０】
また、カラオケ用ホストサーバ２のデータベース２ｂには、図６（ｂ）に例示するような分析採点結果リストが記憶されている。この分析採点結果リストには、選曲番号、点数、ユーザＩＤ、ニックネーム、端末シリアルナンバーおよび登録日時を関連付けたレコードが登録されている。さらに、各レコードには、区間ごとの点数、および演奏時のスピードコントール値が含まれる。
【００３１】
インターネット用ホストサーバ３は、Ｗｅｂサーバ３ａを介してパソコン６ａや携帯電話６ｂ等の情報端末（以下、これらを総称する場合はユーザ端末６ともいう）に対してインターネット２００を介して情報の送信をするためのホストサーバである。また、インターネット用ホストサーバ３は、適宜な通信回線を介してカラオケ用ホストサーバ２と通信可能に構成されている。
【００３２】
インターネット用ホストサーバ３が備えるＷｅｂサーバ３ａは、カラオケ用ホストサーバ２が備えるデータベース２ｂと（上述のＷｅｂサーバ２ａと同様に）連携しており、ユーザ端末６からの要求に応じて、カラオケ用ホストサーバ２が備えるＷｅｂサーバ２ａと同様にカラオケネットワークシステム１を利用するためにログインしようとするユーザに対する認証や、ログインしたユーザに対する個人用Ｗｅｂページの配信・更新サービスを行う。
【００３３】
パソコン６ａは、十分な処理能力を有する通常のコンピュータであり、適宜な通信回線を介してインターネット２００に接続されている。また、パソコン６ａは、インターネット２００を介して受信したＷｅｂページを閲覧したり、ユーザが画面上で情報や操作指示を入力したり、アニメーション等を表示するためのアプリケーションを動作させたりするための、いわゆるＷｅｂブラウザ機能を有するソフトウェアを備えている。
【００３４】
携帯電話６ｂは、携帯電話事業者が提供する通信回線を介してインターネット２００に接続可能ないわゆる第３世代以降の携帯電話であり、電話をかける・受けるといった通話機能以外に、インターネット２００を介して受信したＷｅｂページを画面で閲覧したり、ユーザが画面上で情報や操作指示を入力したり、アニメーション等を表示するためのアプリケーションを動作させたりするためのＷｅｂブラウザ機能を有するソフトウェアを備えている。
【００３５】
パソコン６ａ及び携帯電話６ｂ等からなるユーザ端末６は、インターネット２００を介してインターネット用ホストサーバ３内のＷｅｂサーバ３ａへアクセスし、Ｗｅｂサーバ３ａから受信したデータに基づいて個人用Ｗｅｂページの閲覧・更新を行うための各種処理を実行する。
【００３６】
［カラオケ装置４の構成の説明］
図２は、カラオケ店等のカラオケルーム内に設置されているカラオケ装置４及びリモコン端末５のより具体的な構成を示すブロック図である。
【００３７】
カラオケ装置４は、カラオケを利用するユーザから指定された楽曲のカラオケ演奏を行うためのものであり、図２に示すように、カラオケ装置４全体の作動を制御する制御部１２、カラオケ装置４をＬＡＮ１００に接続するためのインタフェース部１４、演奏楽曲の伴奏内容及び歌詞を示す楽曲データや映像データ等のコンテンツデータ、カラオケ装置４が作動するためのプログラム等を記憶するハードディスク（ＨＤＤ）１６、複数のキースイッチからなり、曲の予約操作等を行うための操作部１８、リモコン端末５や携帯電話６等から送信された赤外線信号を、赤外線通信規格（ＩｒＤＡ（登録商標））又はリモコン端末５とカラオケ装置４との二者間において予め設定された通信条件に従って受信するための赤外線通信部２０、操作部１８からの信号を処理する操作処理部２２、マイクロフォン２６、ＨＤＤ１６に記憶された演奏データ（ＭＩＤＩデータ）に基づく演奏再生を行うＭＩＤＩ音源３０、ＭＩＤＩ音源３０から出力されたデジタル信号から演奏楽曲のオーディオ信号（音響、音声に関する信号）を生成し、生成されたオーディオ信号及びマイクロフォン２６から入力されたオーディオ信号を増幅してスピーカ２８へ出力する音声制御部２４、画像データを一時的に記憶するビデオＲＡＭ３２、ビデオＲＡＭ３２に記憶された
画像データに基づく映像の再生を制御する映像再生部３４、映像再生部３４により再生される映像のモニタ３６での表示を制御する映像制御部３８、半導体素子を利用した書き換え可能な記憶媒体であるメモリ４０などを備えている。
【００３８】
また、制御部１２は、演奏中の楽曲に対応するユーザの個人用Ｗｅｂページに対する更新を禁止するための指示をリモコン端末５に対して送信したり、ユーザの行った歌唱に関する情報をカラオケ用ホストサーバ２へ送信したりする処理などを実行する。
【００３９】
［リモコン端末５の構成の説明］
リモコン端末５は、カラオケルーム内で使用されるためのものであり、演奏楽曲の予約等をするための操作を利用者から受け付け、その操作信号をカラオケ装置４に送信する機能を有する。また、リモコン端末５は、アクセスポイント１１０経由でＬＡＮ１００及びインターネット２００上のＶＰＮを介してカラオケ用ホストサーバ２へアクセスし、カラオケ用ホストサーバ２から受信したデータに基づいて個人用Ｗｅｂページの閲覧・更新するための機能も有する。
【００４０】
具体的にリモコン端末５は、図２に示すように、リモコン端末５全体の作動を制御する制御部５２、赤外線通信規格（ＩｒＤＡ）又はリモコン端末５とカラオケ装置４との二者間において予め設定された通信条件に従ってカラオケ装置４に赤外線信号を送信する赤外線通信部５４、リモコン端末５が作動するためのプログラム等の各種情報を記憶するメモリ５６、表示部５８の表示領域に沿って設置されるタッチパネル及び複数のキースイッチからなり、利用者からの操作を受け付ける操作部６０、操作部６０からの信号を処理する操作処理部６２、画像データを一時的に記憶するビデオＲＡＭ６４、ビデオＲＡＭ６４に記憶された画像データの表示部５８での表示を制御する映像制御部６６、ＬＡＮ１００に接続されたアクセスポイント１１０との間で無線ＬＡＮを用いて、無線通信を行うための無線ＬＡＮ通信部６８などを備えている。
【００４１】
このうち、制御部５２は、利用者から曲の予約をするための操作入力を受け付け、選択された曲の曲番号に、予約者（即ち、歌唱する人）のユーザＩＤを付加した予約データをカラオケ装置４へ送信する処理を実行する。また、制御部５２は、インターネット２００を介してカラオケ用ホストサーバ２へアクセスし、カラオケ用ホストサーバ２から受信したデータに基づいて個人用Ｗｅｂページの閲覧・更新を行うための各種処理を実行する。なお、リモコン端末５は、複数のユーザのアカウントごとに並行してシステムにログイン可能に構成されている。これらの処理についての詳細な説明は後述する。
【００４２】
［その他の構成の説明］
上述のＬＡＮ１００にはアクセスポイント１１０が接続されている。このアクセスポイント１１０は、無線通信で端末間を接続するための電波中継機であり、複数の端末と同時に通信を行う機能を有する。リモコン端末５とカラオケ用ホストサーバ２とは、このアクセスポイント１１０を中継することによって、ＬＡＮ１００及びインターネット２００上のＶＰＮを介して互いにデータ通信を行うことができる。
【００４３】
ルータ１２０，１３０は、インターネットネット２００等の外部ネットワーク上の通信経路を暗号化して、仮想的に専用回線で接続されている状態を作り出すＶＰＮ技術を利用するためのいわゆるＶＰＮゲートウェイである。ルータ１２０，１３０は、外部ネットワークであるインターネット２００と、内部ネットワークであるＬＡＮ１００及びカラオケ用ホストサーバ２側のネットワークとの接続点にそれぞれ置かれ、内部ネットワークからの通信を暗号化してインターネット２００側に送出する。また、インターネット２００側からの通信を復号化して内部ネットワークへ送出する。
【００４４】
［対応関係の説明］
以上、実施形態のカラオケネットワークシステム１の構成について説明したが、本実施形態におけるカラオケネットワークシステム１の構成と、特許請求の範囲に記載した構成との対応は次のとおりである。
【００４５】
本実施形態のカラオケ用ホストサーバ２及びインターネット用ホストサーバ３が、特許請求の範囲におけるホストサーバに相当する。また、カラオケ用ホストサーバ２内のデータベース２ｂが採点履歴情報記憶手段に相当する。また、カラオケ装置４における制御部１２が予約受付手段、採点履歴情報取得手段、採点手段、表示制御手段、記憶制御手段および採点比較手段に相当する。また、カラオケ装置４におけるＨＤＤ１６が演奏曲記憶手段および装置側記憶手段に相当する。また、カラオケ装置４における音声制御部２４およびＭＩＤＩ音源３０がカラオケ演奏手段に相当する。また、カラオケ装置４におけるマイクロフォン２６が音声信号入力手段に相当する。また、カラオケ装置４におけるモニタ３６が表示手段に相当する。
【００４６】
［分析採点結果表示処理（１）の説明］
以下に、カラオケネットワークシステム１のカラオケ装置４の制御部１２により実行される分析採点結果表示処理（１）の処理手順を図４のフローチャート、図３および図６に基づいて説明する。なお、図３は正規化された過去の区間ごとの分析採点結果の推移と今回の区間ごとの分析採点結果の推移とを示す説明図である。また、図６（ａ）はカラオケ用ホストサーバとカラオケ装置との間で送受信される分析採点結果データの流れを示す説明図（１）である。
【００４７】
この分析採点結果表示処理（１）は、カラオケネットワークシステム１のカラオケ装置４が起動している場合に他の処理からは独立して実行される。
まず、分析採点を開始すると（Ｓ１００）、ＨＤＤ１６に記憶されている予約曲リストを参照して、カラオケ演奏曲の予約がなされているか否かを判断する（Ｓ１０２）。カラオケ演奏曲の予約がなされていないと判断された場合には（Ｓ１０２：ＮＯ）、リモコン端末５によって行われる利用者によるカラオケ演奏曲の選曲があるまで待機する（Ｓ１０４）。そして、カラオケ演奏曲の選曲がなされたか否かを判断し（Ｓ１０６）、カラオケ演奏曲の選曲がなされていないと判断された場合には（Ｓ１０６：ＮＯ）、Ｓ１０４に戻り、一方、カラオケ演奏曲の選曲がなされていると判断された場合には（Ｓ１０６：ＹＥＳ）、Ｓ１０８に移行する。なお、Ｓ１０２において、カラオケ演奏曲の予約がなされていると判断された場合にも（Ｓ１０２：ＹＥＳ）、Ｓ１０８に移行する。
【００４８】
続くＳ１０８では、上述の予約曲リストを参照して、次にカラオケ演奏を行うカラオケ演奏曲の選曲番号、その予約を行ったユーザのユーザＩＤおよび当該カラオケ装置４のシリアルナンバーを、インタフェース部１４を制御してカラオケ用ホストサーバ２へ送信させる（Ｓ１０８、図６（ａ）の矢印１参照）。そして、カラオケ用ホストサーバ２から送信される過去の分析採点結果およびスピードコントロール値を、インタフェース部１４を介して受信する（Ｓ１１０、図６（ａ）の矢印２参照）。
【００４９】
続くＳ１１２では、当該カラオケ装置４における現在のスピードコントール値の設定値を取得し、先に受信した過去の分析採点結果およびスピードコントロール値を参照して、その過去のスピードコントロール値と、当該カラオケ装置４における現在のスピードコントロール値とから、両者が同一の演奏速度となるよう過去の分析採点結果に対して正規化を行う（Ｓ１１２）。そして、正規化された過去の分析採点結果をモニタ３６に表示させる（Ｓ１１４、図３参照）。
【００５０】
続いて、上述の予約曲リストを参照して、次にカラオケ演奏を行うカラオケ演奏曲の楽曲データをＨＤＤ１６から読み出してカラオケ演奏を開始する（Ｓ１１６）。そして、マイクロフォン２６から入力されるカラオケ歌唱の音声信号を区間ごとに採点し、その区間ごとの分析採点結果をモニタ３６に表示させる（Ｓ１１８、図３参照）。その際、曲当たりｎ個のデータを取得することを予め設定しておく。つまり、スピードコントロール値が特定された時点で、音声信号を採点する区間（時間の間隔）が特定される。なお、１曲の採点データの個数はｎ個なので、前記スピードコントロール値で決定された曲の演奏スピードに応じて、採点する間隔が異なる。例えば、１曲を１２０秒の演奏スピードでｎ＝１０（個）で採点すると、１２秒間隔で採点するが、１００秒で演奏するとき、ｎは一定なので１０秒間隔の採点となる。また、今回と過去とで、同じ曲だが演奏スピードが異なる２曲（図３で言う○、△）を同時に表示したときに、０分（図３  Ｘ軸：０％）においては、○と△のＸ軸上での位置は一致するが、それ以外のＸ軸上の位置では、採点間隔が異なるためＸ軸上での表示位置も異なってしまい、曲の最後（今回の時間：２分）になると、○と△とでは、曲の中での採点位置が大きく異なっているように見える（同じ歌唱位置を採点しているにも関わらず、異なった歌唱位置を採点しているように見える）ため、利用者にとって今回と過去との採点結果（Ｙ軸）を比較し難い。このため、２曲（○、△）を、どちらかの一方に合わせて正規化することで、図３に示す、曲○、曲△、それぞれのｎ個の採点データのＸ軸上の位置が、曲進行度合いに合わせて、全て一致するため、利用者にとってＹ軸で示される採点結果が今回と過去とが比較しやすくなる。したがって、２曲（○、△）どちらの演奏スピードに合わせて正規化するかについては、今回歌唱する曲（○）に合わせて正規化を行うことで、今回歌唱している曲を基準として、過去の採点度合いがどうたったかを容易に比較することができるようになる。よって、ｎ個のデータの取得設定に従って、その区間ごとの採点結果と、先にモニタ３６に表示させた正規化された過去の分析採点結果とを比較できるように同時に表示するといった演出を行ってもよい（Ｓ１２０、図３参照）。
【００５１】
さらに、今回のカラオケ演奏に伴うカラオケ歌唱の分析採点結果および当該カラオケ装置４におけるスピードコントロール値を、インタフェース部１４を介してカラオケ用ホストサーバ２へ送信させる（Ｓ１２２、図６（ａ）の矢印３参照）。そして、Ｓ１０２に移行する。
【００５２】
［分析採点結果送信処理（１）の説明］
以下に、カラオケネットワークシステム１のカラオケ用ホストサーバ２により実行される分析採点結果送信処理（１）の処理手順を図５（ａ）のフローチャートに基づいて説明する。
【００５３】
この分析採点結果送信処理（１）はカラオケ用ホストサーバ２が起動している場合に他の処理からは独立して実行される。
まず、上述の分析採点結果表示処理（１）のＳ１０８にてカラオケ装置４から送信された情報を受信したか否かを判断する（Ｓ２００）。なお、ここでカラオケ装置４から送信された情報を受信したと判断するには、次にカラオケ演奏を行うカラオケ演奏曲の選曲番号、その予約を行ったユーザのユーザＩＤおよび当該カラオケ装置４のシリアルナンバーが受信した情報に含まれていることが必要である。カラオケ装置４から送信された情報を受信していないと判断された場合には（Ｓ２００：ＮＯ）、Ｓ２００を繰り返し実行することにより、カラオケ装置４から送信された情報を受信するまで待機する。
【００５４】
一方、カラオケ装置４から送信された情報を受信したと判断された場合には（Ｓ２００：ＹＥＳ、図６（ａ）の矢印１参照）、そのカラオケ演奏曲の予約を行ったユーザがユーザ登録されているか否かを判断する（Ｓ２０２）。具体的には、データベース２ｂの記憶
内容を参照して、そのカラオケ演奏曲の予約を行ったユーザのユーザＩＤがデータベース２ｂに登録されている場合に、そのユーザがユーザ登録されていると判断する。そのユーザがユーザ登録されていないと判断された場合には（Ｓ２０２：ＮＯ）、Ｓ２００に移行する。
【００５５】
一方、そのカラオケ演奏曲の予約を行ったユーザがユーザ登録されていると判断された場合には（Ｓ２０２：ＹＥＳ）、先に受信した情報に含まれるユーザＩＤを有するユーザのカラオケ歌唱に関する情報から、先に受信した情報に含まれる選曲番号と同一の選曲番号が含まれる記録を抽出し、その抽出した記録に含まれる分析採点結果およびスピードコントロール値を、インタフェース部１４を介して、先に受信した情報に含まれるシリアルナンバーを有するカラオケ装置４へ送信させる（Ｓ２０４、図６（ａ）の矢印２参照）。そして、Ｓ２００に移行する。
【００５６】
［分析採点結果登録処理の説明］
以下に、カラオケネットワークシステム１のカラオケ用ホストサーバ２により実行される分析採点結果登録処理の処理手順を図５（ｂ）のフローチャートに基づいて説明する。
【００５７】
この分析採点結果登録処理はカラオケ用ホストサーバ２が起動している場合に他の処理からは独立して実行される。
まず、上述の分析採点結果表示処理（１）のＳ１０８にてカラオケ装置４から送信された情報を受信したか否かを判断する（Ｓ３００）。なお、ここでカラオケ装置４から送信された情報を受信したと判断するには、カラオケ演奏が行われたカラオケ演奏曲の選曲番号、そのカラオケ演奏に伴って行われたカラオケ歌唱の採点結果、そのカラオケ演奏の予約を行ったユーザのユーザＩＤおよび当該カラオケ装置４のシリアルナンバーが受信した情報に含まれていることが必要である。カラオケ装置４から送信された情報を受信していないと判断された場合には（Ｓ３００：ＮＯ）、Ｓ３００を繰り返し実行することにより、カラオケ装置４から送信された情報を受信するまで待機する。
【００５８】
一方、カラオケ装置４から送信された情報を受信したと判断された場合には（Ｓ３００：ＹＥＳ、図６（ａ）の矢印３参照）、そのカラオケ演奏曲の予約を行ったユーザがユーザ登録されているか否かを判断する（Ｓ３０２）。具体的には、データベース２ｂの記憶内容を参照して、そのカラオケ演奏曲の予約を行ったユーザのユーザＩＤがデータベース２ｂの登録ユーザリストに登録されている場合に、ユーザがユーザ登録されていると判断する。そのユーザがユーザ登録されていないと判断された場合には（Ｓ３０２：ＮＯ）、Ｓ３００に移行する。
【００５９】
一方、そのカラオケ演奏曲の予約を行ったユーザがユーザ登録されていると判断された場合には（Ｓ３０２：ＹＥＳ）、先に受信した情報に含まれるユーザＩＤを有するユーザのカラオケ歌唱に関する情報から、先に受信した情報に含まれる選曲番号と同一の選曲番号が含まれる記録を抽出し、その抽出した記録に含まれる分析採点結果と先に受信した情報に含まれる分析採点結果とを比較する（Ｓ３０４）。そして、先に受信した情報に含まれる分析採点結果の値が、抽出した記録に含まれる分析採点結果の値よりも小さい場合には（Ｓ３０４：ＮＯ）、その先に受信した情報を破棄してＳ３００に戻る。先に受信した情報に含まれる分析採点結果の値が、抽出した記録に含まれる分析採点結果の値よりも大きい場合には（Ｓ３０４：ＹＥＳ）、その先に受信した情報をデータベース２ｂに登録する（Ｓ３０６）。そして、Ｓ３００に移行する。
【００６０】
［第一実施形態の効果］
（１）このように第一実施形態のカラオケネットワークシステム１によれば、次のよう
な作用効果を奏する。すなわち、分析採点結果表示処理（１）のＳ１１２において、カラオケ装置４の制御部１２が、当該カラオケ装置４における現在のスピードコントロール値の設定値を取得し、Ｓ１１０にて受信した過去の分析採点結果およびスピードコントロール値を参照して、その過去のスピードコントロール値と、当該カラオケ装置４における現在のスピードコントロール値とから、両者が同一の演奏速度となるよう過去の分析採点結果に対して正規化を行い、その正規化された過去の分析採点結果をモニタ３６に表示させる（Ｓ１１４、図３参照）。そして、上述の予約曲リストを参照して、次にカラオケ演奏を行うカラオケ演奏曲の楽曲データをＨＤＤ１６から読み出してカラオケ演奏を開始し（Ｓ１１６）、マイクロフォン２６から入力されるカラオケ歌唱の音声信号を区間ごとに採点し、その区間ごとの分析採点結果をモニタ３６に表示させる（Ｓ１１８、図３参照）。
【００６１】
このことにより、過去の歌唱時と今回の歌唱時とで演奏速度が異なっていても、過去の歌唱時の採点結果と今回の歌唱時の採点結果とをより正確に比較をすることができる。また、歌唱者本人のみではなくそのとき一緒に歌いに来た仲間（他の利用者）と歌唱時の採点結果の比較が可能となる。したがって、カラオケ演奏時に行った利用者の歌唱を採点する際に、より正確な採点結果を得ることができる。
【００６２】
（２）また、第一実施形態のカラオケネットワークシステム１によれば、分析採点結果表示処理（１）のＳ１０８において、予約曲リストを参照して、次にカラオケ演奏を行うカラオケ演奏曲の選曲番号、その予約を行ったユーザのユーザＩＤおよび当該カラオケ装置４のシリアルナンバーを、インタフェース部１４を制御してカラオケ用ホストサーバ２へ送信させ、カラオケ用ホストサーバ２から送信される過去の分析採点結果およびスピードコントロール値をインタフェース部１４を介して受信する（Ｓ１１０）。なお、この処理はＳ１１６にてカラオケ演奏が開始する前に実行される。
【００６３】
このようにすれば、過去の分析採点結果およびスピードコントロール値を予約時など事前に取得しておくと、予約のキャンセルがあった場合にその取得に費やしたリソースが無駄になるが、本実施形態のように、過去の分析採点結果およびスピードコントロール値を予約曲のカラオケ演奏開始時に取得することにより、上述のようなリソースの無駄が発生することを防ぐことができる。
【００６４】
（３）また、第一実施形態のカラオケネットワークシステム１によれば、分析採点結果表示処理（１）において、上述の予約曲リストを参照して、次にカラオケ演奏を行うカラオケ演奏曲の楽曲データをＨＤＤ１６から読み出してカラオケ演奏を開始し（Ｓ１１６）、マイクロフォン２６から入力されるカラオケ歌唱の音声信号を区間ごとに採点し、その区間ごとの分析採点結果をモニタ３６に表示させ（Ｓ１１８、図３参照）、設定に従って、その区間ごとの採点結果と、先にモニタ３６に表示させた正規化された過去の分析採点結果と、を比較できるように同時に表示するといった演出を行う（Ｓ１２０、図３参照）。このことにより、例えばカラオケ演奏終了後にのみ比較結果を表示する場合に比べて、カラオケ演奏中に利用者や他の利用者の興味をカラオケ演奏および歌唱に引き付けることができる。また、利用者が区間ごとの採点結果を見ながら歌唱方法の参考にすることができる。
【００６５】
（４）また、第一実施形態のカラオケネットワークシステム１によれば、分析採点結果表示処理（１）において、今回のカラオケ演奏に伴うカラオケ歌唱の分析採点結果および当該カラオケ装置４におけるスピードコントロール値を、インタフェース部１４を介してカラオケ用ホストサーバ２へ送信させ（Ｓ１２２）、一方、カラオケ用ホストサーバ２では、分析採点結果登録処理において、受信した情報が登録済みユーザのものであることを確認した上で（Ｓ３０２：ＹＥＳ）、過去の分析採点結果と今回の分析採点結果とを比較し（Ｓ３０４）、今回の分析採点結果の値が過去の分析採点結果の値よりも大きい場合に
は、その今回の分析採点結果をデータベース２ｂに登録する（Ｓ３０６）。
【００６６】
このことにより、異なるカラオケ装置４で同一のカラオケ演奏曲に対して歌唱する場合でも、過去の採点結果である採点履歴情報を取得して、上述のような比較を行うことができる。
【００６７】
（５）また、第一実施形態のカラオケネットワークシステム１によれば、分析採点結果表示処理（１）において、マイクロフォン２６から入力されるカラオケ歌唱の音声信号を区間ごとに採点する際に、曲当たりｎ個のデータを取得することを予め設定するので、スケールを変更すると単位時間に含まれるデータ数が変化するのに対して、細かく採点することができ、また、今回と現在との採点結果を正規化して表示した場合においてお互いの歌唱位置と採点位置が一致するので、お互いの採点位置が異なるために、それぞれの採点位置を合わせるために、どちらか一方の歌唱位置を基準にして、他方の採点位置の前後の採点値から一方の歌唱位置と同じ歌唱位置に相当する採点値を算出して、一方の採点位置と同じ採点位置の、他方の採点値として補完する必要がなく、制御部１２の処理の負担を軽減することができる。
【００６８】
［他の実施形態］
以上、本発明の一実施形態について説明したが、本発明は上記実施形態に限定されるものではなく、以下のような様々な態様にて実施することが可能である。
【００６９】
（１）上記実施形態では、分析採点結果表示処理（１）において、Ｓ１１６にてカラオケ演奏が開始する前に、カラオケ用ホストサーバ２から送信される過去の分析採点結果およびスピードコントロール値をインタフェース部１４を介して受信するが（Ｓ１１０）、これには限られず、利用者によるカラオケ演奏の予約時に過去の分析採点結果およびスピードコントロール値を取得するようにしてもよい。
【００７０】
（２）上記実施形態では、分析採点結果表示処理（１）において、カラオケ演奏中に区間ごとの分析採点結果の比較結果を順次表示する（Ｓ１１６〜Ｓ１２０）が、これには限られず、カラオケ演奏終了時に、過去の採点結果と今回の採点結果との比較を表示するようにしてもよい。
【００７１】
（３）上記実施形態では、分析採点結果表示処理（１）において、今回のカラオケ演奏に伴うカラオケ歌唱の分析採点結果および当該カラオケ装置４におけるスピードコントロール値を、インタフェース部１４を介してカラオケ用ホストサーバ２へ送信させ（Ｓ１２２）、一方、カラオケ用ホストサーバ２では、分析採点結果登録処理において、受信した情報が登録済みユーザのものであることを確認した上で（Ｓ３０２：ＹＥＳ）、過去の分析採点結果と今回の分析採点結果とを比較し（Ｓ３０４）、今回の分析採点結果の値が過去の分析採点結果の値よりも大きい場合には、その今回の分析採点結果をデータベース２ｂに登録するが（Ｓ３０６）、これには限られず、上述のように過去の分析採点結果と今回の分析採点結果とを比較した際に、今回の分析採点結果を、その分析採点結果の値の増減示す符号とともにデータベース２ｂに登録するようにしてもよい。なお、このような増減を示す符号を採点結果とともにモニタ３６に表示するようにしてもよい。
【００７２】
このようにすれば、歌唱の上達度合いを計るために、分析採点結果に時間要素を加えて新旧時間で採点結果を比較することにより、以前より演奏曲に対する歌唱能力が向上しているのか、下降しているのかが、利用者自身で特定できる。
【００７３】
（４）上記実施形態では、分析採点結果表示処理（１）において、マイクロフォン２６から入力されるカラオケ歌唱の音声信号を区間ごとに採点する際に、曲当たりｎ個のデー
タを取得することを予め設定するが、これには限られず、単位時間当たりｎ個のデータを取得するように予め設定しておいてもよい。但し、このようにすれば、スケールを変更すると単位時間に含まれるデータ数が変化するため、前後の値から補完する必要がある。
［第二実施形態］
上記第一実施形態では、次にカラオケ演奏を行うカラオケ演奏曲を予約したユーザの過去の採点履歴情報から、そのカラオケ演奏曲と同一のカラオケ演奏曲を歌唱した際の採点履歴情報を選択することを特徴とする。これに対して第二実施形態では、次にカラオケ演奏を行うカラオケ演奏曲を予約したユーザの過去の採点履歴情報および当該ユーザと同時にログインしている他のユーザの過去の採点履歴情報から、そのカラオケ演奏曲と同一のカラオケ演奏曲を歌唱した際の採点履歴情報を選択することを特徴としている。
【００７４】
以下に、第二実施形態のカラオケネットワークシステム１について説明する。
なお、第二実施形態のカラオケネットワークシステム１の構成は、第一実施形態のカラオケネットワークシステム１の構成と同一であるので、ここではその詳細な説明は省略する。
【００７５】
また、第二実施形態のカラオケネットワークシステム１は、第一実施形態のカラオケネットワークシステム１とは異なり、上述の分析採点結果表示処理（１）および分析採点結果送信処理（１）の代わりに分析採点結果表示処理（２）および分析採点結果送信処理（２）を実行する。また、第二実施形態のカラオケネットワークシステム１は、第一実施形態のカラオケネットワークシステム１と同様に、分析採点結果登録処理を実行する。
【００７６】
次に、分析採点結果表示処理（２）および分析採点結果送信処理（２）について順に説明する。
［分析採点結果表示処理（２）の説明］
以下に、カラオケネットワークシステム１のカラオケ装置４の制御部１２により実行される分析採点結果表示処理（２）の処理手順を図８のフローチャート、図７および図１０に基づいて説明する。なお、図７（ａ）は今回の分析採点結果の表示例を示す説明図であり、図７（ｂ）は正規化された過去の分析採点結果の表示例を示す説明図である。また、図１０は、カラオケ用ホストサーバとカラオケ装置との間で送受信される分析採点結果デ
ータの流れを示す説明図（２）である。
【００７７】
なお、図７について以下に補足説明をする。すなわち、図７（ａ）に示す○点は、今回の採点位置と、その位置で実測した採点数の関係を示し、図７（ｂ）に示す◇点は、過去の採点位置と、その位置で実測した採点数の関係を示す。なお、第二実施形態において採点する間隔は、第一実施形態の採点する間隔が異なるものとする。また、第一実施形態では、予め定められたｎ個を採点し、採点数量（サンプル数）が一定であったが、第二実施形態では、予め定められた時間間隔で採点し、採点時間間隔（サンプリング時間）が一定である。さらに、今回と過去とで演奏スピードが異なる分析採点結果を同時に表示する場合、第一実施形態同様、Ｘ軸上で今回と過去の演奏時間を一致させて表示しないと、Ｙ軸で示される採点結果が比較しにくくなるので、２曲を正規化して表示を行う。また、採点時間間隔が一定である今回と前回の分析採点結果を正規化して表示すると、２曲の採点位置が異なるから、例えば、図７に示す、今回の演奏時間に過去の演奏時間を合わせて表示する場合には、今回の採点位置の１つを特定し（図７（ａ）Ａ点）、その採点位置における過去の分析採点結果の前後の採点数の２点（Ｂ１点、Ｂ２点）を特定し、Ｂ１点、Ｂ２点の２点を直線補間を行ってＢ点の採点数を算出し、今回のＡ点の採点数に対応する、過去の採点数とする。他の採点位置も同様に算出し、それぞれを、図７（ｂ）に示す△点とすることで、採点位置が異なる２曲の演奏時間を一致させ、正規化して表示したときに、
○点と△点とはＸ軸上で、お互いの位置は一致するので、今回と過去とで演奏スピードが異なった場合の分析採点数の比較がしやすくなる。また、図７において、補間は直線補間を行った。直線補間は、他の補間方法（例えば、２次曲線補間）に比べて演算処理が簡単なために、カラオケ分野においては曲の演奏も併せて行うときに、曲の演奏を妨げる可能性が他の補間方法より低くなるからである。また、第一実施形態は個数ｎが予め定められているので曲進行途中でスピードコントロール値を変えて演奏スピードを変更することができないが、第二実施形態は、採点時間間隔が一定であるため、演奏スピードを変更することができるので、利用者にとって分析採点の利便性が向上する特徴がある。
【００７８】
この分析採点結果表示処理（２）は、カラオケネットワークシステム１のカラオケ装置４が起動している場合に他の処理からは独立して実行される。
まず、分析採点を開始すると（Ｓ４００）、ＨＤＤ１６に記憶されている予約曲リストを参照して、カラオケ演奏曲の予約がなされているか否かを判断する（Ｓ４０２）。カラオケ演奏曲の予約がなされていないと判断された場合には（Ｓ４０２：ＮＯ）、リモコン端末５によって行われる利用者によるカラオケ演奏曲の選曲があるまで待機する（Ｓ４０４）。そして、カラオケ演奏曲の選曲がなされたか否かを判断し（Ｓ４０６）、カラオケ演奏曲の選曲がなされていないと判断された場合には（Ｓ４０６：ＮＯ）、Ｓ４０４に戻り、一方、カラオケ演奏曲の選曲がなされていると判断された場合には（Ｓ４０６：ＹＥＳ）、Ｓ４０８に移行する。なお、Ｓ４０２において、カラオケ演奏曲の予約がなされていると判断された場合にも（Ｓ４０２：ＹＥＳ）、Ｓ４０８に移行する。
【００７９】
続くＳ４０８では、上述の予約曲リストを参照して、次にカラオケ演奏を行うカラオケ演奏曲の選曲番号、その予約を行ったユーザおよび当該ユーザと同時にログインしている他のユーザそれぞれのユーザＩＤおよび当該カラオケ装置４のシリアルナンバーを、インタフェース部１４を制御してカラオケ用ホストサーバ２へ送信させる（Ｓ４０８、図１０の矢印１参照）。なおこの場合、送信するユーザＩＤを選択するようにしてもよい。そして、カラオケ用ホストサーバ２から送信される過去の分析採点結果およびスピードコントロール値を、インタフェース部１４を介して受信する（Ｓ４１０、図１０の矢印２参照）。なおこの場合、カラオケ用ホストサーバ２から送信される過去の分析採点結果およびスピードコントロール値については、予約を行ったユーザに関する情報とは限らず、当該ユーザと同時にログインしている他のユーザに関する情報である場合もある。
【００８０】
続くＳ４１２では、当該カラオケ装置４における現在のスピードコントール値の設定値を取得し、先に受信した過去の分析採点結果およびスピードコントロール値を参照して、その過去のスピードコントロール値と、当該カラオケ装置４における現在のスピードコントロール値とから、両者が同一の演奏速度となるよう過去の分析採点結果に対して正規化を行う（Ｓ４１２）。そして、正規化された過去の分析採点結果をモニタ３６に表示させる（Ｓ４１４、図７（ｂ）参照）。
【００８１】
続いて、上述の予約曲リストを参照して、次にカラオケ演奏を行うカラオケ演奏曲の楽曲データをＨＤＤ１６から読み出してカラオケ演奏を開始する（Ｓ４１６）。そして、マイクロフォン２６から入力されるカラオケ歌唱の音声信号を区間ごとに採点し、その区間ごとの分析採点結果をモニタ３６に表示させる（Ｓ４１８、図７（ａ）参照）。その際、曲当たりｎ個のデータを取得することを予め設定しておく。また、設定に従って、その区間ごとの採点結果と、先にモニタ３６に表示させた正規化された過去の分析採点結果とを比較できるように同時に表示するといった演出を行ってもよい（Ｓ４２０、図７参照）。
【００８２】
さらに、今回のカラオケ演奏に伴うカラオケ歌唱の分析採点結果および当該カラオケ装置４におけるスピードコントロール値を、インタフェース部１４を介してカラオケ用ホス
トサーバ２へ送信させる（Ｓ４２２、図１０の矢印３参照）。そして、Ｓ４０２に移行する。
【００８３】
［分析採点結果送信処理（２）の説明］
以下に、カラオケネットワークシステム１のカラオケ用ホストサーバ２により実行される分析採点結果送信処理（２）の処理手順を図９のフローチャートに基づいて説明する。
【００８４】
この分析採点結果送信処理（２）はカラオケ用ホストサーバ２が起動している場合に他の処理からは独立して実行される。
まず、上述の分析採点結果表示処理のＳ４０８にてカラオケ装置４から送信された情報を受信したか否かを判断する（Ｓ５００）。なお、ここでカラオケ装置４から送信された情報を受信したと判断するには、次にカラオケ演奏を行うカラオケ演奏曲の選曲番号、その予約を行ったユーザと当該ユーザと同時にログインしている他のユーザのユーザＩＤおよび当該カラオケ装置４のシリアルナンバーが受信した情報に含まれていることが必要である。カラオケ装置４から送信された情報を受信していないと判断された場合には（Ｓ５００：ＮＯ）、Ｓ５００を繰り返し実行することにより、カラオケ装置４から送信された情報を受信するまで待機する。
【００８５】
一方、カラオケ装置４から送信された情報を受信したと判断された場合には（Ｓ５００：ＹＥＳ、図１０の矢印１参照）、そのカラオケ演奏曲の予約を行ったユーザ群がユーザ登録されているか否かを判断する（Ｓ５０２）。具体的には、データベース２ｂの記憶内容を参照して、そのカラオケ演奏曲の予約を行ったユーザのユーザＩＤおよび当該ユーザと同時にログインしている他のユーザのユーザＩＤがデータベース２ｂのユーザ登録データベース２ｃに登録されている場合に、そのユーザ群がユーザ登録されていると判断する。そのユーザ群がユーザ登録されていないと判断された場合には（Ｓ５０２：ＮＯ）、Ｓ５００に移行する。
【００８６】
一方、そのカラオケ演奏曲の予約を行ったユーザ群がユーザ登録されていると判断された場合には（Ｓ５０２：ＹＥＳ）、先に受信した情報に含まれるユーザＩＤを有するユーザのカラオケ歌唱に関する情報から、先に受信した情報に含まれる選曲番号と同一の選曲番号が含まれる記録を抽出し、その抽出した記録に含まれる分析採点結果およびスピードコントロール値を、インタフェース部１４を介して、先に受信した情報に含まれるシリアルナンバーを有するカラオケ装置４へ送信させる（Ｓ５０４、図１０の矢印２参照）。そして、Ｓ５００に移行する。
【００８７】
［第二実施形態の効果］
（１）このように第二実施形態のカラオケネットワークシステム１によれば、次にカラオケ演奏を行うカラオケ演奏曲を予約したユーザの過去の採点履歴情報および当該ユーザと同時にログインしている他のユーザの過去の採点履歴情報から、そのカラオケ演奏曲と同一のカラオケ演奏曲を歌唱した際の採点履歴情報を選択する。このことにより、
次のカラオケ演奏を予約したユーザ（歌唱者）本人のみではなく当該ユーザと同時にログインしている他のユーザの過去の採点結果との比較が可能となる。
【００８８】
なお、図には書いてありませんが、ログインしている複数ユーザＩＤとの比較する場合、どのユーザＩＤと比較するか選べるようにしても良い。
［他の実施形態］
以上、本発明の一実施形態について説明したが、本発明は上記実施形態に限定されるものではなく、様々な態様にて実施することが可能である。
［第三実施形態］
上記第一実施形態では、次にカラオケ演奏を行うカラオケ演奏曲を予約したユーザの過去の採点履歴情報から、そのカラオケ演奏曲と同一のカラオケ演奏曲を歌唱した際の採点履歴情報を選択することを特徴とする。これに対して第三実施形態では、次にカラオケ演奏を行うカラオケ演奏曲を予約したユーザの過去の採点履歴情報および当該ユーザと同時にログインしている他のユーザの過去の採点履歴情報から、そのカラオケ演奏曲と同一のカラオケ演奏曲を歌唱した際の採点履歴情報を選択することを特徴としている。
【００８９】
以下に、第三実施形態のカラオケネットワークシステム１について説明する。
なお、第三実施形態のカラオケネットワークシステム１の構成は、第一実施形態のカラオケネットワークシステム１の構成と同一であるので、ここではその詳細な説明は省略する。
【００９０】
また、第三実施形態のカラオケネットワークシステム１は、第一実施形態のカラオケネットワークシステム１とは異なり、上述の分析採点結果表示処理（１）の代わりに分析採点結果表示処理（３）を実行する。また、第二実施形態のカラオケネットワークシステム１は、第一実施形態のカラオケネットワークシステム１と同様に、分析採点結果送信処理（１）および分析採点結果登録処理を実行する。
【００９１】
［分析採点結果表示処理（３）の説明］
以下に、カラオケネットワークシステム１のカラオケ装置４の制御部１２により実行される分析採点結果表示処理（３）の処理手順を図１１のフローチャートに基づいて説明する。
【００９２】
この分析採点結果表示処理（３）は、カラオケネットワークシステム１のカラオケ装置４が起動している場合に他の処理からは独立して実行される。
まず、分析採点を開始すると（Ｓ６００）、ＨＤＤ１６に記憶されている予約曲リストを参照して、カラオケ演奏曲の予約がなされているか否かを判断する（Ｓ６０２）。カラオケ演奏曲の予約がなされていないと判断された場合には（Ｓ６０２：ＮＯ）、リモコン端末５によって行われる利用者によるカラオケ演奏曲の選曲があるまで待機する（Ｓ６０４）。そして、カラオケ演奏曲の選曲がなされたか否かを判断し（Ｓ６０６）、カラオケ演奏曲の選曲がなされていないと判断された場合には（Ｓ６０６：ＮＯ）、Ｓ６０４に戻り、一方、カラオケ演奏曲の選曲がなされていると判断された場合には（Ｓ６０６：ＹＥＳ）、Ｓ６０８に移行する。なお、Ｓ６０２において、カラオケ演奏曲の予約がなされていると判断された場合にも（Ｓ６０２：ＹＥＳ）、Ｓ６０８に移行する。
【００９３】
続くＳ６０８では、上述の予約曲リストを参照して、次にカラオケ演奏を行うカラオケ演奏曲の選曲番号、その予約を行ったユーザのユーザＩＤおよび当該カラオケ装置４のシリアルナンバーを、インタフェース部１４を制御してカラオケ用ホストサーバ２へ送信させる（Ｓ６０８、図６（ａ）の矢印１参照）。そして、カラオケ用ホストサーバ２から送信される過去の分析採点結果およびスピードコントロール値を、インタフェース部１４を介して受信する（Ｓ６１０、図６（ａ）の矢印２参照）。
【００９４】
また、ＨＤＤ１６が記憶する、当該ユーザおよび当該ユーザと同時にログインしている他のユーザの過去の採点履歴情報の中から、次にカラオケ演奏を行うカラオケ演奏曲の選曲番号と同一の選曲番号を含む情報を検索する（Ｓ６１２）。
【００９５】
続くＳ６１４では、当該カラオケ装置４における現在のスピードコントール値の設定値
を取得し、先に受信した過去の分析採点結果およびスピードコントロール値を参照して、その過去のスピードコントロール値と、当該カラオケ装置４における現在のスピードコントロール値とから、両者が同一の演奏速度となるよう過去の分析採点結果に対して正規化を行う（Ｓ６１４）。なおこの正規化においては、先のＳ６１２にて次にカラオケ演奏を行うカラオケ演奏曲の選曲番号と同一の選曲番号を含む情報を抽出した場合には、その抽出した情報に含まれる分析採点結果およびスピードコントロール値を用いるようにしてもよい。そして、正規化された過去の分析採点結果をモニタ３６に表示させる（Ｓ６１６、図３参照）。
【００９６】
続いて、上述の予約曲リストを参照して、次にカラオケ演奏を行うカラオケ演奏曲の楽曲データをＨＤＤ１６から読み出してカラオケ演奏を開始する（Ｓ６１８）。そして、マイクロフォン２６から入力されるカラオケ歌唱の音声信号を区間ごとに採点し、その区間ごとの分析採点結果をモニタ３６に表示させる（Ｓ６２０、図３参照）。その際、曲当たりｎ個のデータを取得することを予め設定しておく。また、設定に従って、その区間ごとの採点結果と、先にモニタ３６に表示させた正規化された過去の分析採点結果とを比較できるように同時に表示するといった演出を行ってもよい（Ｓ６２２、図３参照）。
【００９７】
さらに、今回のカラオケ演奏に伴うカラオケ歌唱の分析採点結果および当該カラオケ装置４におけるスピードコントロール値を、ＨＤＤ１６に一時的に保存するとともに（Ｓ６２４）、インタフェース部１４を介してカラオケ用ホストサーバ２へ送信させる（Ｓ６２６、図６（ａ）の矢印３参照）。そして、Ｓ６０２に移行する。
【００９８】
［第三実施形態の効果］
（１）このように第三実施形態のカラオケネットワークシステム１によれば、次のような作用効果を奏する。すなわち、例えば、採点結果およびスピードコントロール値をカラオケ用ホストサーバ２へ送信するとともに、採点を行ったカラオケ装置４内のＨＤＤ１６やメモリなどにも保存しておき、歌唱者本人の採点履歴情報についてはカラオケ用ホストサーバ４から取得し、他の利用者の採点履歴情報については、カラオケ装置４内のＨＤＤ１６やメモリなどから取得する。この際、他の利用者のユーザＩＤに関してはカラオケ装置４内のＨＤＤ１６やメモリから検索したり読み出して一覧表示したりする。このことにより、他のログインしている利用者についてはカラオケホストサーバ２に対してユーザ情報に関する問い合わせや採点履歴情報の取得処理を行わないため、カラオケホストサーバ２へのアクセス時間を短縮することができる。
【００９９】
（２）また、第三実施形態のカラオケネットワークシステム１によれば、所望の採点履歴情報がカラオケ装置４内に保存されている場合にはその採点履歴情報をカラオケ装置４内から優先的に取得し、一方、所望の採点履歴情報がカラオケ装置４内に保存されていない場合にはその採点履歴情報をカラオケホストサーバ２から取得するので、カラオケホストサーバ２へのアクセス時間をさらに短縮することができる。
【０１００】
［他の実施形態］
以上、本発明の一実施形態について説明したが、本発明は上記実施形態に限定されるものではなく、以下のような様々な態様にて実施することが可能である。
【０１０１】
（１）上記実施形態の分析採点結果表示処理（３）において、上述のように過去の分析採点結果と今回の分析採点結果とを比較した際に、今回の分析採点結果を、その分析採点結果の値の増減示す符号とともにＨＤＤ１６に保存するようにしてもよい。なお、このような増減を示す符号を採点結果とともにモニタ３６に表示するようにしてもよい。
【０１０２】
このようにすれば、歌唱の上達度合いを計るために、分析採点結果に時間要素を加えて
新旧時間で採点結果を比較することにより、以前より演奏曲に対する歌唱能力が向上しているのか、下降しているのかが、利用者自身で特定できる。
【図面の簡単な説明】
【０１０３】
【図１】インターネット２００を利用したカラオケネットワークシステム１の概略構成を示すブロック図である。
【図２】カラオケ店等のカラオケルーム内に設置されているカラオケ装置４及びリモコン端末５のより具体的な構成を示すブロック図である。
【図３】正規化された過去の区間ごとの分析採点結果の推移と今回の区間ごとの分析採点結果の推移とを示す説明図である。
【図４】カラオケ用ホストサーバとカラオケ装置とが実行する分析採点結果表示処理（１）の手順を示すフローチャートである。
【図５】（ａ）はカラオケ用ホストサーバが実行する分析採点結果送信処理（１）の手順を示すフローチャートであり、（ｂ）はカラオケ用ホストサーバが実行する分析採点結果登録処理の手順を示すフローチャートである。
【図６】（ａ）はカラオケ用ホストサーバとカラオケ装置との間で送受信される分析採点結果データの流れを示す説明図（１）であり、（ｂ）はカラオケ用ホストサーバが記憶する分析採点結果データリストを示す説明図である。
【図７】（ａ）は今回の分析採点結果の表示例を示す説明図であり、（ｂ）は正規化された過去の分析採点結果の表示例を示す説明図である。
【図８】カラオケ用ホストサーバとカラオケ装置とが実行する分析採点結果表示処理（２）の手順を示すフローチャートである。
【図９】カラオケ用ホストサーバが実行する分析採点結果送信処理（２）の手順を示すフローチャートである。
【図１０】カラオケ用ホストサーバとカラオケ装置との間で送受信される分析採点結果データの流れを示す説明図（２）である。
【図１１】カラオケ用ホストサーバとカラオケ装置とが実行する分析採点結果表示処理（３）の手順を示すフローチャートである。
【符号の説明】
【０１０４】
１…カラオケネットワークシステム、２…カラオケ用ホストサーバ、２ａ…Ｗｅｂサーバ、２ｂ…データベース、３…インターネット用ホストサーバ、３ａ…Ｗｅｂサーバ、４…カラオケ装置、５…リモコン端末、６…ユーザ端末、６ａ…パーソナルコンピュータ（パソコン）、６ｂ…携帯電話、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…モニタ、３８…映像制御部、４０…メモリ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、１００…ＬＡＮ、１１０…アクセスポイント、１２０，１３０…ルータ、２００…インターネット
【図１】
2008216337.tif 000003
【図２】
2008216337.tif 000004
【図３】
2008216337.tif 000005
【図４】
2008216337.tif 000006
【図５】
2008216337.tif 000007
【図６】
2008216337.tif 000008
【図７】
2008216337.tif 000009
【図８】
2008216337.tif 000010
【図９】
2008216337.tif 000011
【図１０】
2008216337.tif 000012
【図１１】
2008216337.tif 000013